(57)【要約】  【課題】  課金システムを備えたテレビジョン装置の端子カバー内に接続されている電源ケーブルが抜き取られることを防いで、課金計算に誤りが生じないようにする。  【解決手段】  課金システム用の視聴時間検出手段を備えたテレビジョン装置において、装置本体２０に開閉自在に支持されて電源ユニット用ケーブル３０の接続端子を覆う端子カバー２１の少なくとも開閉端部を端子カバー固定金具２３により覆うとともに、端子カバー固定金具２３を装置本体２０にビス止め固定とする。なお、テレビジョン装置が薄型テレビジョン装置であって背面にビス止めによりスタンド２５が取り付けられる場合には、背面とスタンド２５との間に端子カバー固定金具２３を挟み込み、スタンド２５とともにビス止め固定する。【選択図】  図２
2005286717.tif 000002
【特許請求の範囲】
【請求項１】
課金システム用の視聴時間検出手段を備えたテレビジョン装置において、
装置本体に開閉自在に支持されまたは着脱自在に取り付けられて電源ケーブルの接続端子を覆う端子カバーと、
該端子カバーを装置本体に固定するための端子カバー固定手段を設けたことを特徴とするテレビジョン装置。
【請求項２】
前記端子カバー固定手段は、装置本体とスタンドとの間に挟まれた状態で保持されることを特徴とする請求項１に記載されたテレビジョン装置
【請求項３】
請求項１または２に記載のテレビジョン装置において、
前記視聴時間検出手段は前記装置本体とは別に設けられた電源部に内蔵されたことを特徴とするテレビジョン装置。
【請求項４】
課金システム用の視聴時間検出手段を備えたテレビジョン装置の背面に取付け取外しが可能な端子カバーを固定するための端子カバー固定金具であって、
前記端子カバー固定金具は、前記端子カバーの取外し作業を不可能とするように取り付けられた状態で固定されたことを特徴とするテレビジョン装置用端子カバー固定金具装置。
【発明の詳細な説明】
【技術分野】
【０００１】
本発明は、視聴した時間に応じて料金を支払う課金システムを備えたテレビジョン装置に関し、詳しくは、テレビ本体の端子カバー内に接続されている電源ケーブルが抜き取られて課金計算に誤りが生じないように、端子カバーの上に端子カバー固定金具を取り付けたテレビジョン装置に関する。
【背景技術】
【０００２】
従来、ホテル等の客室に設置されるテレビジョンは、客が視聴した時間に応じて料金を支払う課金システム機能を備えることがあった。その一例として、特許文献１に記載の「双方向有線テレビ放送システム」がある。このシステムでは、例えば、端末制御コンピュータが、加入者端末にそれぞれ確認信号を出力し、加入者端末からは問い合わせ要求信号が返される。端末制御コンピュータは、加入者端末のＩＤ番号に基づいて、有料番組視聴情報を課金処理コンピュータから文字情報として端末制御コンピュータを介して加入者端末へ伝送する。有料番組視聴情報は、有料チャンネルであるペイパーチャンネルの数および使用料金と、有料番組であるペイパープログラムのタイトル、使用時間および使用料金と、ペイパーチャンネルおよびペイパープログラムの使用料金の支払い状況が含まれている。加入者端末は、文字の表示位置、色、および文字データで構成された料金表示データ信号を受信する。
【特許文献１】特開平１０−６６０４８号公報
【発明の開示】
【発明が解決しようとする課題】
【０００３】
ところで、上述した課金システムでは、加入者端末から問合せ要求信号をおくることによって制御コンピュータから返送される有料番組視聴情報の中に使用時間に関する情報が含まれるとある。この使用時間情報は結局端末から送られた情報を元に算出されるはずであり、使用時間の正確な算出が求められるが、端末の状態（主電源や電源コード等の入切状態）によっては使用時間がリセットされる可能性があり、ユーザーの正確な使用時間の算出を妨げることが起こりうる可能性があった。そこで、本発明は、加入者端末すなわち客室のテレビ本体における電源ケーブルの容易な引き抜きを防止することで、ホテル等での課金システムの計算に誤った算出結果を出力しないようにすることを目的とした。
【課題を解決するための手段】
【０００４】
上記課題を解決するために、本発明は、課金システム用の視聴時間検出手段を備えたテレビジョン装置において、装置本体に開閉自在に支持されまたは着脱自在に取り付けられて電源ケーブルの接続端子を覆う端子カバーと、該端子カバーを装置本体に固定するための端子カバー固定手段を設けたことを特徴とする。また、本発明のテレビジョン装置は、前記端子カバー固定手段は、装置本体とスタンドとの間に挟まれた状態で保持されることを特徴とする。また、本発明のテレビジョン装置は、前記視聴時間検出手段は前記装置本体とは別に設けられた電源部に内蔵されたことを特徴とする。また、本発明のテレビジョン装置用端子カバー固定金具装置では、課金システム用の視聴時間検出手段を備えたテレビジョン装置の背面に取付け取外しが可能な端子カバーを固定するための端子カバー固定金具であって、前記端子カバー固定金具は、前記端子カバーの取外し作業を不可能とするように取り付けられた状態で固定されたことを特徴とする。
【発明の効果】
【０００５】
以上述べたように本発明によれば、電源ケーブルが接続される接続端子を覆う端子カバーの上を端子カバー固定金具で覆った状態で、端子カバー固定金具を装置本体にビス止めすることで、端子カバーが容易に開けられなくなり、電源ケーブルが外されることが防止できる。その結果、テレビジョン装置の使用時間に応じた正確な課金計算が行われるようになる。
【発明を実施するための最良の形態】
【０００６】
以下、図に基づいて本発明の実施形態を説明する。
図１は本発明に係るテレビジョン装置の電気的内部構成を示すブロック図である。本発明に係るテレビジョン装置は、図１に示されるように、テレビジョン放送信号を受信するアンテナ１を通して受信されたテレビジョン放送信号を映像検波し、映像信号および音声信号を出力する受信部２と、放送信号以外に外部から所定の映像音声情報を入力するための外部入力端子や外部メモリ用スロットなどで構成される外部情報入力部３と、そして、この放送信号と外部から入力された映像音声情報とのいずれかを表示等するために選択するための切替部４によって、表示あるいは音声出力するべき映像信号及び／又は音声信号の選択がなされ、映像信号は映像処理部５へ音声信号は音声処理部６で伝達される。こうして、映像処理部５及び／又は音声処理部６で信号処理された映像及び音声情報はそれぞれ表示部７（例えばＣＲＴ装置やプラズマ表示装置、液晶表示装置、有機／無機ＥＬ装置といった表示素子）に表示され、スピーカー等の音声出力手段８に出力される。
【０００７】
こうした映像信号あるいは音声信号の処理に際しては、ユーザーの設定値制御によって中央制御部９において所定の制御処理がなされる（例えばＣＨ切替、入力切換、音量調整等）。また、このような制御処理をユーザーが操作するための操作手段としては、例えばボタン操作が可能な操作部１０や、リモコンなどの遠隔操作部１２とこのキー操作によって発する所定の無線制御信号を受光する受光部１１から成り立つ無線操作手段で構成される。そして、これらの操作手段によって設定された各種設定値は記憶部１３において記憶されることにより、映像又は音声情報の出力状態を保持することができる。
【０００８】
また、これらの映像信号あるいは音声信号に対しユーザーが設定値制御を行う際は、操作部１０やリモコンなどにあるキー（例えばメニュキー等）の入力操作によって制御信号が発せられることで、記憶部１３等に記憶されたＯＳＤメニュ項目を表示するための各種文字あるいは記号のパターンを中央制御部９（マイコン）が呼び出し、その結果、画面上に表示された映像情報が部分的に上書きされた状態あるいは半透明上に視聴できる状態で表示される。これにより、ユーザーが画面上の映像情報を見ることにより変更された設定値の結果を認識しながら操作することができる。
【０００９】
そして、本発明のテレビジョン装置では、例えばホテル等の施設における使用時間等に応じた課金システムを導入するために、視聴した時間を検出するための視聴時間検出手段１４を設けている。この視聴時間検出手段１４の具体例としては、例えば視聴時間を計算するタイマー回路や電源の総電力量を算出することが出来る総電力量検出回路等があげられる。そして、この視聴時間検出手段１４の検出結果である視聴時間がマイコンに送られて、例えばホテル内のホストコンピュータにその結果を伝達する。
【００１０】
ところで、本発明のテレビジョン装置として具体的には、液晶テレビ等の薄型表示装置などがあげられる。つまり、表示部本体２０の薄さを追求した仕様が要求され、また表示部本体２０熱環境の影響等を考慮して、電源ユニット１５は表示部本体２０から別ユニットとして存在し、表示部本体２０の各種入力端子に並列に配置された電源ユニット専用の入力端子にプラグ挿入してこの薄型表示装置を起動する。このため前記視聴時間検出手段１４が表示部本体内部に存在せず例えば電源ユニット１５に内在する場合は、一旦、先程の電源ユニット専用の入力端子から電源ケーブルが離れると、再度プラグを挿入しても表示部本体２０に内在するマイコンに送られた視聴時間検出結果がリセットされてしまう。このため、ユーザーが勝手にプラグを引き抜いてしまえば、ユーザーが正当なテレビジョン装置の使用料金を払わなくても良いという事態が生じてしまう。
【００１１】
そこで、本発明におけるテレビジョン装置では、このような表示部本体２０から電源ユニット１５で接続する接続ケーブルが容易に引き抜かれないようにするための手段を設けたことを特徴としている。
具体的な実施形態として図２の実施例を示す。表示部本体２０には各種入力端子を覆う端子カバー２１が装着されている。この端子カバー２１はその爪を外すような開放動作をすることによって、電源ユニット用ケーブル３０あるいはＲＣＡケーブル等の映像用ケーブル３１の各プラグを対応する各入力端子に挿入することができ、各ケーブルは表示部本体２０の背面のキャビネット２４と端子カバー２１との間に設けられた隙間２２を通して表示部本体２０の外へ配線される。したがって、この端子カバー２１の開放動作をさせないようにする手段として端子カバー固定金具２３を用いている
【００１２】
そして、図３のように、この端子カバー固定金具２３を表示部本体２０の背面のキャビネット２４とスタンド２５との間に挟んだ状態で、それぞれに設けたビス穴で位置決めをして表示部背面からビス止めして端子カバー固定金具２３の位置を固定している。尚、この端子カバー固定金具２３を位置固定するためのビス穴として、例えばＶＥＳＡ（Video Electronics Standards Association の略）で規格化された液晶表示装置とアームを取り付ける規格であるFPMPMI(Flat
Panel Monitor Physical Mounting Interface)できめられたビス穴（「75mm×75mm 4− 5」又は「100mm ×100mm 4 − 5」）を用いているが、使用するビス穴としてはこれに限定するものではない。
【００１３】
そしてこのような手段によって、電源ケーブルの容易な引き抜きを防止することが可能となり。ホテル等での課金システムの計算に誤った算出結果を出力しないようにしている。
また更に加えて、電源ユニットと電源プラグも同時に容易に挿抜できないようにする手段を設けることで、このテレビジョン装置の課金システムの計算結果が全くリセットされないようにすることができる。
なお、図２の実施形態では、端子カバー２１が左端を支軸にして右端が開閉する構造であるが、端子カバー全体が表示部本体に着脱される構造をしたテレビジョン装置の場合もあり、その場合も、同様に端子カバーの一部または全面を端子カバー固定金具２３で覆いビス止めすることで、電源ケーブルの容易な引き抜きを防止することができる。
【産業上の利用可能性】
【００１４】
本発明は、テレビジョン装置以外には、同様に課金システムを備えた電子機器一般に利用可能である。
【図面の簡単な説明】
【００１５】
【図１】本発明に係るテレビジョン装置の電気的構成を示すブロック図である。
【図２】薄型表示装置の背面に端子カバー固定金具を取り付けた状態を示す外観図である。
【図３】薄型表示装置の背面にスタンドを取り付ける状態を示す斜視図である。
【符号の説明】
【００１６】
１  アンテナ
２  受信部
３  外部情報入力部
４  切替部
５  映像処理部
６  音声処理部
７  表示部
８  音声出力手段
９  中央制御部
１０  操作部
１１ 
受光部
１２  遠隔操作部
１３  記憶部
１４  視聴時間検出手段
１５  電源ユニット
２０  表示部本体
２１  端子カバー
２２  隙間
２３  端子カバー固定金具
２４  キャビネット
２５  スタンド
３０  電源ユニット用ケーブル
３１  映像用ケーブル
【図１】
2005286717.tif 000003
【図２】
2005286717.tif 000004
【図３】
2005286717.tif 000005